(57)【要約】【課題】  仕掛けを巻き上げ過ぎても、破損しにくく、穂先竿の破断を回避できるトップガイドを提供する点にある。【解決手段】  トップガイド３を穂先竿１の竿先端に固定される基端固定部３Ａとその基端固定部３Ａから立設される釣糸ガイド部３Ｂとで構成し、その釣糸ガイド部３Ｂを超合金又は形状記憶合金で構成する。【選択図】図２
2007289105.tif 000002
【特許請求の範囲】
【請求項１】
穂先竿の竿先端に固定される基端固定部とその基端固定部から立設される釣糸ガイド部とを備えたトップガイドであって、
前記釣糸ガイド部が超合金又は形状記憶合金からなるトップガイド。
【請求項２】
請求項１に記載のトップガイドを備えた穂先竿。
【発明の詳細な説明】
【技術分野】
【０００１】
本発明は、穂先竿の竿先端に固定されるトップガイドに関する。
【背景技術】
【０００２】
従来の穂先竿のトップガイドは、例えば特許文献に開示されているように、チタン材製のものや、ステンレス材製のものが知られている。
【０００３】
【特許文献１】特開２００４−７３０４７号公報
【発明の開示】
【発明が解決しようとする課題】
【０００４】
トップガイドが従来の素材のものでは、次のような不都合があった。つまり、仕掛けを巻き上げ過ぎて、仕掛けがトップガイドに当たると、トップガイドと第１中間移動ガイドとの間隔が縮まるように穂先竿が上向きに凸出する湾曲状態になるとともに、穂先竿やトップガイドに衝撃が加わる。このような巻き上げ操作を繰り返すと、穂先竿が中間位置で破断したり、トップガイドが破損したりすることがあった。特に、磯竿等では、仕掛けが重く、その衝撃も大きいため、穂先竿が破断したりトップガイドが破損したりすることが多かった。
【０００５】
本発明の目的は、上述したような不具合を修正して、仕掛けの巻き上げ過ぎがあっても、破損しにくく、穂先竿の破断を回避できるトップガイドを提供する点にある。
【課題を解決するための手段】
【０００６】
［Ｉ］
（構成）
本発明の第１特徴は、穂先竿の竿先端に固定される基端固定部とその基端固定部から立設される釣糸ガイド部とを備えたトップガイドにおいて次のように構成することにある。
前記釣糸ガイド部を超合金又は形状記憶合金によって構成する。
【０００７】
（作用）
一般的に、超合金の一例であるＮｉ−Ｃｒ合金は硬質で弾性に富み、変形後に負荷を取り除くと元の形状に復帰するという性質を持つ。一方、形状記憶合金の一例であるＡｕ−Ｃｄ合金などは、変形後にある一定の温度以上に加熱すると元の形状に回復するという性質を持つ。
【０００８】
本発明の第１特徴によると、仕掛けを巻き上げ過ぎて、仕掛けがトップガイドに当たって、穂先竿やトップガイドに衝撃が加わっても、超合金又は形状記憶合金からなる釣糸ガイド部が衝撃受けとなり、自ら変形することによって、その衝撃の一部を吸収することができる。そのため、穂先竿に加わる衝撃が軽減される。また、トップガイドが変形しても、衝撃による負荷を取り除くか又は一定の温度以上に加熱することによって元の形状に回復させることができる。
【０００９】
（発明の効果）
本発明の第１特徴によると、穂先竿に加わる衝撃が軽減されるため、穂先竿が中間位置で破断することが回避される。また、トップガイドが元の形状に回復するため、トップガイドの破損が回避される。
【００１０】
また、トップガイドに釣り糸が巻き付いた場合であっても、釣り糸を引っ張る等の措置を行うことによって、トップガイド自体が変形し、容易に釣り糸の巻き付きを解消することができる。
【００１１】
［ＩＩ］
（構成）
本発明の第２特徴は、本発明の第１特徴に記載のトップガイドを備えた穂先竿を構成することにある。
【００１２】
（作用）
本発明の第２特徴によると、本発明の第１特徴と同様に前項［Ｉ］に記載の「作用」を備えており、これに加えて以下のような「作用」を備えている。
釣り竿は先端が細くなっているため、トップガイドを備えた穂先竿が最も破損しやすい。この部分の強度を確保しようとすれば穂先竿を太くすればよいのであるが、微妙なアタリを容易に把握するためには、穂先竿を太くすることもできない。そのため、釣り人は穂先竿が仕掛けの巻き上げ過ぎによる衝撃によって破損しないように、細心の注意を払いながらリール等の操作を行う。仮に、穂先竿が破損した場合には、穂先竿を交換又は修理する必要がある。
【００１３】
本発明の第２特徴によれば、破損しにくい穂先竿を構成することができるため、釣り人が仕掛けの巻き上げ時に注意を払う度合いが緩和されるとともに、釣り竿の修理回数が減る。
【００１４】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によれば、釣り人が釣りに集中できるとともに、釣り竿の修理費用を節約することができる。
【発明を実施するための最良の形態】
【００１５】
図１（イ）に示すように、穂先竿１、二番竿２等によって、振出式の釣り竿Ａを構成してある。穂先竿１には、トップガイド３と三つの中間移動ガイド４を設けてある。二番竿２に、釣り糸ガイド５がその竿体の外周面に取り付けてある。
【００１６】
図２（イ）及び（ロ）に示すように、トップガイド３は、穂先竿１の竿先端に外嵌して装着される基端固定部の一例である基端筒状ボス部３Ａとその基端筒状ボス部３Ａの先端から立設される釣糸ガイド部３Ｂとを備えて構成され、釣糸ガイド部３Ｂは、リング３Ｃを取り付ける本体取付部３ａと、この釣糸ガイド部３Ｂを支持する左右の支持部材３ｂとから構成されている。
【００１７】
釣糸ガイド部３Ｂの素材は、プリプレグより硬質でかつ弾性に富む超合金である。ここに、超合金材としては、ＩＮＣＯＮＥＬ６２５等のＮｉ−Ｃｒ合金を使用する。その他、チタニュウム、Ｎｉ基合金、Ｃｒ基合金等を使用可能である。また、超合金の代わりに形状記憶合金を使用することも可能で、形状記憶合金を使用すると弾性変形後の復帰力が大きい。形状記憶合金としては、Ａｕ−Ｃｄ合金、Ｃｕ−ＡＬ−Ｎｉ合金、Ａｕ−Ｃｄ合金等が使用される。
【００１８】
基端筒状ボス部３Ａは、ステンレス製の素材を用いて形成されており、この基端筒状ボス部３Ａに、前記釣糸ガイド３ＢがＡｒ（アルゴン）等の不活性雰囲気中で、ろう付によって固定されている。釣糸ガイド部３Ｂには釣り糸ａをガイドするリング３Ｃを装着して構成されている。リング３Ｃは、セラミック製の素材を用いて形成されており、釣糸ガイド部３Ｂを製造する際に同時に組み込んで一体に嵌め込み装着されている。
【００１９】
図１（ロ）及び図２（イ）の２点鎖線は、釣糸ガイド部３Ｂの素材が超合金の場合の、仕掛け６を巻き上げ過ぎて、仕掛け６がトップガイド３に当たった時の釣り竿Ａ及びトップガイド３の状態を示す。仕掛け６を巻き上げ過ぎて、仕掛け６がトップガイド３に当たると、トップガイド３と第１中間移動ガイド４との間隔が縮まるように、穂先竿１が上向きに凸出する湾曲状態となるとともに、釣糸ガイド部３Ｂの本体取付部３ａが下向きでかつ後ろ向きに曲がって弾性変形して、左右の支持部材３ｂが左右方向に曲がって弾性変形する。これにより、釣糸ガイド部３Ｂの本体取付部３ａと支持部材３ｂとで仕掛け６の巻き上げ過ぎによる衝撃を吸収し、穂先竿１に加わる衝撃が軽減されるようになっている。
【００２０】
一方、釣り糸ａを緩めて釣り糸ａの張力を取り除くと、超合金の弾性復元力によって、釣糸ガイド３Ｂの本体取付部３ａ及び支持部材３ｂの上記弾性変形が解除され、元の状態、すなわち、図１（イ）や図２（イ）の実線で示す状態となる。
【００２１】
［発明の実施の第１別形態］
前述の［発明を実施するための最良の形態］においては、基端固定部の一例として基端筒状ボス部３Ａを採用した例を示したが、基端固定部の形状は特に問わず、筒状のボス部ではなく、図３に示すように、棒状材３Ｄで構成し、穂先竿の先端に取り付けてもよい。また、前述の［発明を実施するための最良の形態］においては、釣糸ガイド部３Ｂを本体取付部３ａと支持部材３ｂで構成した例を示したが、図３に示すように、支持部材３ｂを省略した構造を採用してもよい。このように構造を単純化することで、製造コスト削減を図ることができる。
【００２２】
［発明の実施の第２別形態］
前述の［発明を実施するための最良の形態］においては、トップガイド３の釣糸ガイド部３Ｂを超合金又は形状記憶合金で構成した例を示したが、中間移動ガイド４や釣り糸ガイド５にも超合金又は形状記憶合金で構成された釣糸ガイド部を適用できる。この場合には、釣りの最中だけでなく、例えば、釣り竿の運搬中などに、中間移動ガイド４や釣り糸ガイド５が破損することを防止できるという効果がある。
【図面の簡単な説明】
【００２３】
【図１】穂先竿の状態を示す側面図であり、（イ）は釣り糸を緩めた状態、（ロ）は本発明のトップガイドで仕掛けを巻き上げ過ぎた状態
【図２】トップガイドを示し、（イ）は側面図、（ロ）はトップガイドを上から見た平面図
【図３】発明の実施の第１別形態を示す穂先竿の側面図
【符号の説明】
【００２４】
１            穂先竿
３            トップガイド
３Ａ          基端筒状ボス部
３Ｂ          釣糸ガイド
【図１】
2007289105.tif 000003
【図２】
2007289105.tif 000004
【図３】
2007289105.tif 000005